(57)【要約】【課題】  例えば従来から存するフライパンの柄部は、その器体に対し固定状態に取付けられているものであるから、調理者はその使用時に柄部を常時把持しながら、器体を上下方向，左右方向又は円方向などに作動し、器体上の食材の掻きまぜ作業をしなければならず、手首部分に過労を与えることになり、腱鞘炎になる人が多かったことに鑑み、本発明は、調理用具類の柄部の構造を根本的に改良し、使用者の立場に立った使い易く疲労を与えない柄部を調理用具について提供することを目的とする。【解決手段】  本発明は、器体１の一部に連結する柄体の全部又は一部を発条材によって構成する調理用具の柄部２０であり、発条材は板状発条材又は螺旋状発条材から成るものである。【選択図】    図６
2011177488.tif 000002
【特許請求の範囲】
【請求項１】
器体の一部に連結する柄体の全部を発条材によって構成することを特徴とする調理器具の柄部。
【請求項２】
器体の一部に連結する柄体の一部に発条材を設けて成ることを特徴とする調理器具の柄部。
【請求項３】
発条材が板状発条から成る請求項１又は２に記載するフライパンの柄部。
【請求項４】
発条材が板状発条から成る請求項１又は２に記載するざる網の柄部。
【請求項５】
発条材が板状発条から成る請求項１又は２に記載するてぼの柄部。
【請求項６】
発条材が螺旋状発条から成る請求項１又は２に記載するフライパンの柄部。
【請求項７】
発条材が螺旋状発条から成る請求項１又は２に記載するざる網の柄部。
【請求項８】
発条材が螺旋状発条から成る請求項１又は２に記載するてぼの柄部。
【請求項９】
発条材が棒状発条から成る請求項１又は２に記載するてぼの柄部。
【発明の詳細な説明】
【技術分野】
【０００１】
本発明は、フライパン等各種の鍋，ざる，てぼ，すくい網その他の調理用具の柄部に関するものである。
【背景技術】
【０００２】
例えば従来から存するフライパンの柄部は、その器体に対し固定状態に取付けられているものであるから、調理者はその使用時に柄部を常時把持しながら、器体を上下方向，左右方向又は円方向などに作動し、器体上の食材の掻きまぜ作業をしなければならず、手首部分に過労を与えることになり、腱鞘炎になる人が多かった。
【０００３】
そこで、このようなフライパン等の調理用具について柄部が改良されたものが存するかどうかを調査したところ、次のようなものしか存しなかったことが判明し、本発明者が意図した技術は皆無であった。
【先行技術文献】
【特許文献】
【０００４】
【特許文献１】特開２００４−２２９８７９号公報
【特許文献２】実公平２−２０９６７号公報
【特許文献３】意匠登録第９８８００５号公報
【発明の概要】
【発明が解決しようとする課題】
【０００５】
そこで、本発明は、従来存しなかった調理用具類の柄部の構造を根本的に改良し、使用者の立場に立った使い易く疲労を与えない柄部を調理用具について提供することを目的とするものである。
【課題を解決するための手段】
【０００６】
本発明は、器体の一部に連結する柄体の全部又は一部を発条材によって構成する調理用具の柄部である。
【０００７】
また、発条材は板状発条材又は螺旋状発条材から成る調理用具の柄部である。
【発明の効果】
【０００８】
調理場において調理作業を行う者は、フライパン等の鍋，ざる，てぼ，すくい網などを一時に連続して使用する際に、その器体に対する動作を、把持する柄体において上下往復運動や左右往復運動や円運動などを軽快かつ円滑に行うことによって、器体上の食材を掻きまぜる調理の目的を極めて良好に達成することができるのである。
【図面の簡単な説明】
【０００９】
【図１】一フライパン例の全体の分離状態を示す斜視図
【図２】図１の全体の組立状態を示す斜視図
【図３】図２の中央部側断面図
【図４】他フライパン例の全体の組立状態を示す斜視図
【図５】別のフライパン例の全体の組立状態を示す斜視図
【図６】図５要部の中央部側断面図
【図７】別々のフライパン例の全体の組立状態を示す斜視図
【図８】図７要部の中央部側断面図
【図９】ざる網例の全体の組立状態を示す斜視図
【図１０】てぼ例の全体の組立状態を示す斜視図
【発明を実施するための形態】
【００１０】
本発明は、器体の一部に連結する柄体の一部又は全部に，発条材を設けて成る調理用具の柄部に関するものであるところ、この調理用具の概念は広範囲のものであり、またこの柄部は単に調理用具の持ち手の役割をしているだけでなく、使用者が、食材を収容している器体が自由に動き回ることを柄部に要求した時に、柄部も器体の動きに一緒に合わせて自由に作動するようになるのである。
【００１１】
この場合、柄体の一部に使用する発条材が螺旋状に成る場合は、器体を上下方向又は左右方向に往復作動することができるから、例えばフライパンの器体上のオムレツや卵焼き等の調理のための返し運動が、持ち手の柄体を上下方向又は左右方向に繰返し行う弾発作用によって確実になされるようになり、また同じフライパンでも発条板の柄体にあっては、器体の上下作動によって前記同様の往復運動を円滑に行うことができるようになるのである。
【００１２】
さらに、そば，ラーメン，うどん等の麺類をゆでるときに使用する「てぼ」にあっては、棒状又は板状の発条材を使用することから、網体の水切りや湯切りの場合に、柄体を把持して網体を上下に振りつける時に、前後にも作動する弾発力によって振り払うことができるようになるのである。
【実施例１】
【００１３】
図１乃至図３に例示するフライパンの柄部の構造について説明する。
【００１４】
１はフライパンの器体で、この器体の形状及び深さなどは任意である。
【００１５】
２は前記器体１の周側面部の一部に設けた受金具で、この受金具には連結金具３の先端部３’を螺子４を介して連結する。
【００１６】
５は前記連結金具３内に一側部を嵌挿して固着６する適当長さの螺旋発条材で、この螺旋発条材の性質は、伸張性を有するものでも収縮性を有するものでもよい。
【００１７】
前記連結金具３から外出する前記螺旋発条材５の他側部の長さは任意であるが、この他側部の一端部には把柄体７の先端部８を嵌挿して固着９する。
【実施例２】
【００１８】
図４に例示するフライパンの柄部の構造について説明する。
【００１９】
１０はフライパンの器体１の周側面部の一部に設けた柄部の基片部で、この基片部は全体の柄形状に成る把柄部１１と同形に形成する。
【００２０】
１２，１２は前記基片部１０と把柄部１１との間の上下両側部に固着１３，１３して連結した板状発条材で、この板状発条材が前記基片部１０と把柄部１１とに挟まれて上下方向に弾発作用をする。
【実施例３】
【００２１】
図５及び図６に例示するフライパンの柄部の構造について説明する。
【００２２】
２０はフライパンの器体１の周側面部の一部に基端部２１を固着した全体が発条板から成る柄部で、この柄部の形状は、前記基端部に近い前側部２２が谷形状に曲折し、その谷形状部から垂直部２３を形成した後、この垂直部の上端からやや傾斜状の水平部から成る後側部２４を形成し、この後側部には軟質合成樹脂製の把柄材２５を一体に設ける。
【００２３】
前記形状に成る柄部２０において、例えば、前側部２２と垂直部２３との谷部の角度は約８０°，垂直部２３と水平後側部２４との間の角度は約１２０°とする。
【実施例４】
【００２４】
図７及び図８に例示するフライパンの柄部の構造について説明する。
【００２５】
２０’はフライパンの器体の周側面部の一部に基端部２１’を固着した全体が発条板から成る柄部で、この柄部の形状は、前記基端部に近い前側部２２’が緩やかな谷形状に曲折し、その谷形状部から緩やかな立上り部２３’を形成した後、この立上り部からやや傾斜状の水平部から成る後側部２４’を形成し、この後側部には軟質合成樹脂製の把柄材２５’を一体に設ける。
【００２６】
前記形状に成る柄部２０’において、前側部２２’と立上り部２３’との間の谷形状の角度や立上り部２３’と水平後側部２４’との間の傾斜角度はいずれも任意であり、使用者の好みに応じるオーダーメイドで製作してもよい。
【００２７】
また、前記柄部２０を構成する発条板の構成は１枚ものでも２枚ものでもよく、一体性があればよい。
【実施例５】
【００２８】
図９に例示するざる網の柄部の構造について説明する。
【００２９】
１４はざる網の器体１の周側面部の一部に設けた受金具で、この受金具には板状発条材１５を中間部に介装して把柄部材１６を連結する。
【００３０】
この板状発条材に代えて、螺旋状発条材を使用してもよい。
【実施例６】
【００３１】
図１０に例示する「てぼ」の柄部の構造について説明する。
【００３２】
１７はてぼ網の器体１の周側面部の一部に設けた左右２本の線材にて成る支持部材で、この支持部材には棒状発条材１８，１８を中間部に介装して把柄部材１９を連結する。
【００３３】
この棒状発条材に代えて、板状発条材又は螺旋状発条材を使用してもよい。
【００３４】
この把柄部材１９にあっては、全体を伸張性のある発条体によって前記棒状発条材１８，１８に連設して構成してもよい。
【００３５】
前記棒状発条材１８，１８は、上下方向および左右方向に弾発力が作用するようになる。
【符号の説明】
【００３６】
１                    器体
２                    受金具
３                    連結金具
３’                  先端部
４                    螺子
５                    螺旋発条材
６                    固着部
７                    把柄体
８                    先端部
９                    固着部
１０                  基片部
１１                  把柄部
１２，１２            板状発条材
１３，１３            固着部
１４                  受金具
１５                  板状発条材
１６                  把柄部材
１７                  支持部材
１８，１８            棒状発条材
１９                  把柄部材
２０                  柄部
２０’                柄部
２１                  基端部
２１’                基端部
２２                  前側部
２２’                前側部
２３                  垂直部
２３’                立上り部
２４                  後側部
２４’                後側部
２５                  把柄材
２５’                把柄材
【図１】
2011177488.tif 000003
【図２】
2011177488.tif 000004
【図３】
2011177488.tif 000005
【図４】
2011177488.tif 000006
【図５】
2011177488.tif 000007
【図６】
2011177488.tif 000008
【図７】
2011177488.tif 000009
【図８】
2011177488.tif 000010
【図９】
2011177488.tif 000011
【図１０】
2011177488.tif 000012